(57)【要約】      （修正有）【課題】秘匿化された処理情報についての秘匿性を維持しつつ、秘匿化された処理情報が記憶されていることを使用者に認識させることができる画像処理装置及びプログラムを提供する。【解決手段】画像処理装置１０は、処理情報を記憶するジョブ記憶部３２と、記憶された処理情報のうち、秘匿化されていない処理情報については、該処理情報についての内容を表示手段に表示し、秘匿化された処理情報については、該処理情報の内容については表示せず該処理情報の存在のみを表示手段に表示するよう制御する表示制御部４２とを有する。【選択図】図３
2015001920.tif 000002
【特許請求の範囲】
【請求項１】
処理情報を記憶する記憶手段と、
前記記憶手段に記憶された処理情報のうち、秘匿化されていない処理情報については、該処理情報についての内容を表示手段に表示し、秘匿化された処理情報については、該処理情報の内容については表示せず該処理情報の存在のみを表示手段に表示するよう制御する表示制御手段と
を有する画像処理装置。
【請求項２】
前記表示制御手段は、前記記憶手段に記憶された秘匿化された処理情報の存在の表示として、秘匿化された処理情報の個数を表示するよう制御する
請求項１記載の画像処理装置。
【請求項３】
前記表示制御手段は、前記記憶手段の記憶可能容量が予め定められた容量以下となった場合に、秘匿化された処理情報の存在を表示する
請求項１又は２記載の画像処理装置。
【請求項４】
前記記憶手段に記憶された秘匿化された処理情報に対する、該処理情報に関連付けられた使用者以外の使用者である予め定められた使用者による操作については受付けないよう制御し、前記記憶手段に記憶された秘匿化されていない処理情報に対する前記予め定められた使用者の操作については受付けるよう制御する操作制御手段
をさらに有する
請求項１乃至３いずれか記載の画像処理装置。
【請求項５】
処理情報を記憶するステップと、
記憶された処理情報のうち、秘匿化されていない処理情報については、該処理情報についての内容を表示手段に表示し、秘匿化された処理情報については、該処理情報の内容については表示せず該処理情報の存在のみを表示手段に表示するよう制御するステップと
をコンピュータに実行させるプログラム。
【発明の詳細な説明】
【技術分野】
【０００１】
本発明は、画像処理装置及びプログラムに関する。
【背景技術】
【０００２】
特許文献１は、印刷ジョブの生成や印刷ジョブの印刷指示などを行う印刷指示装置と、印刷ジョブに基づき印刷処理を行う第１〜第３の印刷装置と、当該第１〜第３の印刷装置にそれぞれ一対一に対応し、これら第１〜第３の印刷装置の近傍にそれぞれ位置する印刷ジョブの保持処理及び印刷ジョブ情報の表示処理等を行う第１〜第３の印刷ジョブ管理装置とを含み、印刷ジョブ管理装置において、照合情報に対応した第１〜第３の印刷ジョブ管理装置の保持する印刷ジョブの印刷ジョブ情報を表示するようにした親展印刷システムについて開示している。
【０００３】
特許文献２は、ユーザを認証する認証手段と、ドキュメント毎に文書オーナ及び文書パスワードを記憶したドキュメント情報と、記憶領域に蓄積されたドキュメントを操作する場合にユーザに文書パスワードの入力を要求する操作権限判定手段と、を有する画像形成装置において、認証手段により認証されたユーザがドキュメントの文書オーナである場合、操作権限判定手段は文書パスワードの入力要求を省略することについて開示している。
【先行技術文献】
【特許文献】
【０００４】
【特許文献１】特開２００６−３０９７２１号公報
【特許文献２】特開２００７−２３７６８５号公報
【発明の概要】
【発明が解決しようとする課題】
【０００５】
本発明の目的は、秘匿化された処理情報についての秘匿性を維持しつつ、秘匿化された処理情報が記憶されていることを使用者に認識させることができる画像処理装置及びプログラムを提供することである。
【課題を解決するための手段】
【０００６】
請求項１に係る本発明は、処理情報を記憶する記憶手段と、前記記憶手段に記憶された処理情報のうち、秘匿化されていない処理情報については、該処理情報についての内容を表示手段に表示し、秘匿化された処理情報については、該処理情報の内容については表示せず該処理情報の存在のみを表示手段に表示するよう制御する表示制御手段とを有する画像処理装置である。
【０００７】
請求項２に係る本発明は、前記表示制御手段は、前記記憶手段に記憶された秘匿化された処理情報の存在の表示として、秘匿化された処理情報の個数を表示するよう制御する請求項１記載の画像処理装置である。
【０００８】
請求項３に係る本発明は、前記表示制御手段は、前記記憶手段の記憶可能容量が予め定められた容量以下となった場合に、秘匿化された処理情報の存在を表示する請求項１又は２記載の画像処理装置である。
【０００９】
請求項４に係る本発明は、前記記憶手段に記憶された秘匿化された処理情報に対する、該処理情報に関連付けられた使用者以外の使用者である予め定められた使用者による操作については受付けないよう制御し、前記記憶手段に記憶された秘匿化されていない処理情報に対する前記予め定められた使用者の操作については受付けるよう制御する操作制御手段をさらに有する請求項１乃至３いずれか記載の画像処理装置である。
【００１０】
請求項５に係る本発明は、処理情報を記憶するステップと、記憶された処理情報のうち、秘匿化されていない処理情報については、該処理情報についての内容を表示手段に表示し、秘匿化された処理情報については、該処理情報の内容については表示せず該処理情報の存在のみを表示手段に表示するよう制御するステップとをコンピュータに実行させるプログラムである。
【発明の効果】
【００１１】
請求項１に係る本発明によれば、秘匿化された処理情報についての秘匿性を維持しつつ、秘匿化された処理情報が記憶されていることを使用者に認識させることができる画像処理装置を提供することができる。
【００１２】
請求項２に係る本発明によれば、請求項１に係る本発明の効果に加え、記憶されている秘匿化された処理情報の多少について使用者に認識させることができる画像処理装置を提供することができる。
【００１３】
請求項３に係る本発明によれば、請求項１又は２に係る本発明の効果に加え、本構成を有しない場合に比較して、秘匿性をより維持することができる画像処理装置を提供することができる。
【００１４】
請求項４に係る本発明によれば、請求項１乃至３いずれかに係る本発明の効果に加え、本構成を有しない場合に比較して、秘匿化された処理情報に対する操作のセキュリティ性を向上させることができる画像処理装置を提供することができる。
【００１５】
請求項５に係る本発明によれば、秘匿化された処理情報についての秘匿性を維持しつつ、秘匿化された処理情報が記憶されていることを使用者に認識させることができるプログラムを提供することができる。
【図面の簡単な説明】
【００１６】
【図１】本発明の実施形態に係る画像処理システム２の構成の一例を示す模式図である。
【図２】本実施形態の画像処理システムにおける画像処理装置１０のハードウェア構成を示すブロック図である。
【図３】プログラムが実行されることにより実現される画像処理装置１０の機能構成を示すブロック図である。
【図４】表示制御部４２による表示制御により表示される管理画面の一例を示す模式図である。
【図５】表示制御部４２による表示制御により表示される管理画面の他の一例を示す模式図である。
【図６】本実施形態に係る表示制御部４２による制御に基づく表示に対する比較例である表示画面について示す模式図であり、（ａ）は、ＵｓｅｒＹとして識別された使用者が閲覧する場合の管理画面を示しており、（ｂ）は、ＵｓｅｒＡとして識別された使用者が閲覧する場合の管理画面を示している。
【図７】画像処理装置１０における動作の一例を示すフローチャートである。
【図８】操作制御部４４による制御動作の一例を示すフローチャートである。
【発明を実施するための形態】
【００１７】
以下、本発明の実施形態について図面を参照して詳細に説明する。
図１は、本発明の実施形態に係る画像処理システム２の構成の一例を示す模式図である。本発明の画像処理システム２は、図１に示されるように、パーソナルコンピュータ等により構成される端末装置４〜８と、これら端末装置４〜８とネットワークを介して接続された画像処理装置１０と、この画像処理装置１０とネットワークを介して接続された画像形成装置１２とから構成されている。
【００１８】
なお、図１に示した例では、端末装置として３台、画像形成装置として１台が図示されているが、これらの台数は、１以上の任意の台数でもよい。
【００１９】
端末装置４〜８は、例えば印刷ジョブなどのジョブ（処理情報）を、画像処理装置１０に対して送信する。ここで、端末装置４〜８が送信するジョブは、認証ジョブ又は一般ジョブのいずれかとして送信される。認証ジョブは、当該ジョブを生成する操作を行なった使用者以外に対して秘匿化した状態で取り扱われるよう設定されたジョブであり、一般ジョブは、秘匿化した状態で取り扱われるよう設定されていないジョブである。
【００２０】
例えば、使用者は、ある文書についての印刷に関して、印刷を行なった使用者が誰であるか、印刷対象の文書が何であるか、印刷の部数などといった印刷ジョブの内容を他者に知られたくない場合、当該印刷ジョブについて認証ジョブとして設定する。
【００２１】
画像処理装置１０は、端末装置４〜８から受信したジョブを記憶し、記憶したジョブに従って画像処理を行い、画像処理を経た画像データを画像形成装置１２に対して送信する。画像形成装置１２は、画像処理装置１０から受信した画像データに応じた画像を用紙上に出力する。
【００２２】
ここで、画像形成装置１２は、印刷（プリント）機能、スキャン機能、複写（コピー）機能、ファクシミリ機能等の複数の機能を有するいわゆる複合機と呼ばれる装置であってもよいし、印刷機能のみを有する単機能プリンタであってもよい。画像処理装置１０は、画像形成装置１２が備える機能に対応するジョブを記憶する。例えば、画像形成装置１２がファクシミリ機能を有する場合には、画像処理装置１０は、例えばファクシミリ送信についてのジョブを記憶し、この記憶したジョブに従ってファクシミリ送信用の画像処理を行い画像形成装置１２に出力する。
【００２３】
なお、本実施形態では、画像処理装置１０が記憶するジョブは、端末装置４〜８から送信されるものとして説明するが、画像処理装置１０は、画像処理装置１０に接続された可搬型の記憶媒体に格納されたジョブを読み取って記憶してもよいし、画像処理装置１０により生成されたジョブを記憶してもよい。
【００２４】
図２は、本実施形態の画像処理システムにおける画像処理装置１０のハードウェア構成を示すブロック図である。
【００２５】
画像処理装置１０は、図２に示されるように、ＣＰＵ１４、メモリ１６、ハードディスクドライブ（ＨＤＤ）等の記憶装置１８、ネットワークを介して端末装置４〜８及び画像形成装置１２などの外部の装置との間でデータの送信及び受信を行う通信インタフェース（ＩＦ）２０、入出力装置２２を有する。これらの構成要素は、制御バス２４を介して互いに接続されている。
【００２６】
ＣＰＵ１４は、メモリ１６または記憶装置１８に格納されたプログラムに基づいて処理を実行して、画像処理装置１０の動作を制御する。
【００２７】
なお、本実施形態では、ＣＰＵ１４は、メモリ１６または記憶装置１８内に格納されたプログラムを読み出して実行するものとして説明したが、当該プログラムをＣＤ−ＲＯＭ等の記憶媒体に格納してＣＰＵ１４に提供することも可能であるし、当該プログラムを、通信ＩＦ２０を介して提供することも可能である。
【００２８】
入出力装置３０は、情報を表示する表示手段としての表示装置、及び操作者によってなされる入力を受付ける入力受付装置を兼ねた備えた装置である。本実施形態では、入出力装置２２は、タッチパネル及びＩＣカードなどの記録媒体を読み取るカードリーダ装置から構成されている。なお、入出力装置２２は、言うまでもなく、タッチパネルに限らず、ディスプレイ装置及びキーボードなどの入力装置により構成されてもよい。
【００２９】
図３は、プログラムが実行されることにより実現される画像処理装置１０の機能構成を示すブロック図である。
【００３０】
図３に示すように、画像処理装置１０は、ジョブ受付部３０と、ジョブ記憶部３２と、印刷条件設定部３４と、画像処理部３６と、出力制御部３８と、使用者識別部４０と、表示制御部４２と、操作制御部４４とを有する。
【００３１】
ジョブ受付部３０は、端末装置４〜８から印刷ジョブのデータを受付ける。ジョブ受付部３０は、上述の通り、端末装置４〜８以外からジョブのデータを受付けてもよい。また、ジョブ受付部３０は、画像形成装置１２が複合機などのように印刷機能以外の機能を備える場合には、印刷ジョブのデータ以外にも画像形成装置１２が備える機能に対応するジョブのデータを受付けてもよい。
【００３２】
ジョブ記憶部３２は、ジョブ受付部３０が受付けたジョブデータを記憶する。本実施形態では、ジョブ記憶部３２は、予め定められた設定に従って定まるフォルダ（格納先）にジョブを格納して記憶する。この予め定められた設定は、ジョブに応じた格納先について示しており、任意に設定可能である。予め定められた設定として、例えば、ジョブの種類ごとに異なるフォルダに格納するよう設定されていてもよいし、ジョブを生成する操作を行なった使用者ごとに異なるフォルダに格納するよう設定されてもよいし、ジョブデータに格納先を指定する情報が含まれる場合には指定された格納先に格納するよう設定されていてもよい。
【００３３】
印刷条件設定部３４は、ジョブ記憶部３２が記憶する印刷ジョブについて、部数、印刷濃度、出力先の用紙サイズなどの印刷条件を設定する。本実施形態では、印刷条件設定部３４は、後述する操作制御部４４による制御のもと、使用者の操作に基づいて印刷条件を設定する。なお、印刷条件設定部３４による設定は、ジョブ受付部３０が受付けたジョブに既に設定されている印刷条件について変更を加えるものであってもよい。
【００３４】
画像処理部３６は、ジョブ記憶部３２が記憶する印刷ジョブのデータに含まれる印刷対象の画像データに対して、予め定められた画像処理を行う。なお、画像処理部３６は、画像形成装置１２が、複合機などのように印刷機能以外の機能を備える場合には、画像形成装置１２が備える機能に対応した画像処理を行ってもよい。
【００３５】
出力制御部３８は、画像処理部３６による画像処理が行われた画像データを画像形成装置１２に出力し、用紙上に印刷出力されるよう制御する。なお、出力制御部３８は、画像形成装置１２が複合機などのように印刷機能以外の機能を備える場合には、画像形成装置１２が備える機能に対応した出力を行うよう制御してもよい。
【００３６】
使用者識別部４０は、画像処理装置１０に対する操作を行なう使用者について識別する。本実施形態では、使用者識別部４０は、入出力装置２２を介して取得した使用者の識別情報に基づいて使用者を識別する。例えば、ＩＣカードなどの記録媒体の読み取り情報を入出力装置２２から取得し、使用者の識別情報を取得してもよいし、入出力装置２２が受付けた入力操作により識別情報を取得してもよい。
【００３７】
本実施形態では、使用者識別部４０により識別される使用者は、一般使用者、管理者、特別管理者のいずれかに属するよう管理されている。ここで、管理者は、例えば、画像処理装置１０の管理を担当する使用者であり、一般使用者に比べ、操作権限において特権が与えられている。管理者は、例えば、ジョブが格納されていないフォルダの削除、他の使用者の一般ジョブの削除及び格納先の移動などの操作権限が与えられている。また、特別管理者は、管理者よりも強い操作権限が与えられており、例えば、他の使用者の認証ジョブの内容について閲覧する操作権限などが与えられている。なお、特別管理者に、他の使用者の認証ジョブを削除する権限が与えられていてもよい。
【００３８】
表示制御部４２は、ジョブ記憶部３２に記憶されているジョブのデータについての表示を制御する。なお、本実施形態では、表示制御部４２は、入出力装置２２に表示する表示情報について制御する構成として説明するが、画像処理装置１０が備える表示手段以外の表示手段に表示するよう制御してもよく、例えば、画像処理装置１０とネットワークを介して接続された端末装置に設けられた表示装置などに表示するよう構成してもよい。
【００３９】
具体的には、表示制御部４２は、ジョブ記憶部３２に記憶されたジョブのうち、秘匿化されていないジョブについては、当該ジョブについての内容を表示し、秘匿化されたジョブについては、当該ジョブの内容については表示せず当該ジョブの存在のみを表示するよう制御する。本実施形態では、一般ジョブについては、秘匿化されていないジョブであるため、当該ジョブについての内容が表示される。一方、認証ジョブについては、閲覧する使用者に応じて、当該ジョブが当該閲覧者に対して秘匿化されたジョブであるか秘匿化されていないジョブであるかが決定される。例えば、当該認証ジョブの作成者（所有者）や、特別管理者に対しては秘匿化されていないジョブとして扱われ、それ以外の使用者に対しては秘匿化されたジョブとして扱われる。なお、表示制御部４２による表示の詳細については後述する。
【００４０】
操作制御部４４は、ジョブ記憶部３２に記憶されたジョブに対する使用者の操作について制御する。使用者の操作は、入出力装置２２を介して行われもよいし、端末装置４〜８などの他の端末装置から行われてもよい。
【００４１】
操作制御部４４は、上述の印刷条件の設定についての使用者による操作に限らず、ジョブ記憶部３２に記憶されたジョブを削除する操作、ジョブの格納先を変更する操作についても制御する。具体的には、操作制御部４４は、ジョブ記憶部３２に記憶された操作対象のジョブについての操作権限を、使用者識別部４０で識別された操作者が有している場合には当該操作について受付ける。一方、操作制御部４４は、ジョブ記憶部３２に記憶された操作対象のジョブについての操作権限を、使用者識別部４０で識別された操作者が有していない場合には当該操作について受付けず拒否する。なお、操作権限の有無の判定についての詳細は、後述する。
【００４２】
次に、表示制御部４２による表示の詳細について説明する。
図４は、表示制御部４２による表示制御により表示される管理画面の一例を示す模式図である。ここでは、閲覧する使用者として、使用者識別部４０によりＵｓｅｒＡとして識別された使用者が管理画面を閲覧する場合を例にして説明する。また、使用者ＵｓｅｒＡは、特別管理者ではない使用者であるものとする。図４に示した管理画面では、ジョブデータが記憶される記憶装置１８の記憶容量の使用状態の表示、記憶されているジョブの一覧表示がなされている。
【００４３】
ジョブの格納先として、フォルダＸ、フォルダＹ及びフォルダＺがあり、フォルダＸには、ＪｏｂＡ、ＪｏｂＢ及びＪｏｂＣの３つのジョブが格納されているものとする。ここで、ＪｏｂＡ、ＪｏｂＢ及びＪｏｂＣは、一般ジョブである。また、フォルダＹには、図４には図示されていないが、認証ジョブであるＪｏｂＤが格納されている。ここで、認証ジョブＪｏｂＤを作成する操作を行なった使用者（所有者）は、使用者ＵｓｅｒＡとは異なるＵｓｅｒＹであるものとする。したがって、認証ジョブＪｏｂＤは、使用者ＵｓｅｒＡに対しては、秘匿化されたジョブにあたる。フォルダＺは空のフォルダである。なお、図４では、一般ジョブと認証ジョブが別々のフォルダに格納されているが、一つのフォルダ内に一般ジョブと認証ジョブが混在していてもよい。
【００４４】
図４に示されるように、一般ジョブであるＪｏｂＡ、ＪｏｂＢ及びＪｏｂＣについては、いずれのフォルダに格納されているか、当該ジョブが保持されることを指定されたジョブであるか、当該ジョブの所有者名、当該ジョブの受信時刻、当該ジョブのデータサイズなどのジョブの内容について表示されている。なお、ジョブの保持とは、ジョブの処理が完了後に、ジョブデータを削除せず、ジョブ記憶部３２がジョブデータを記憶し続ける設定をいい、例えば、使用者の操作によって設定される。例えば、印刷ジョブの場合、印刷ジョブによる印刷完了後、当該ジョブについて印刷部数を変更して再度印刷したい場合などには、使用者は、当該ジョブを保持するよう設定する。
【００４５】
上記のように、表示制御部４２は、一般ジョブのように秘匿化されていないジョブについては、ジョブについての内容を表示するよう制御する。一方、使用者ＵｓｅｒＡに対して秘匿化されたＪｏｂＤについては、表示制御部４２は、ジョブについての内容を表示せず、ジョブの存在のみを表示するよう制御する。図４に示される例では、ジョブの存在の表示として、秘匿化されたジョブ数（図４では、「１」）が表示されている。図４に示した例では、記憶されている全ジョブ数（図４では、「４」）も表示している。
【００４６】
なお、表示制御部４２は、秘匿化されたジョブが存在することがわかればよいので、記憶されている全ジョブ数だけを表示するよう制御してもよい。この場合、ジョブの内容が表示されているのが３つのジョブであるのに対し、記憶されている全ジョブ数が４であるため、秘匿化されているジョブが存在することが使用者に認識される。また、フォルダごとに、ジョブ数を表示するようにしてもよい。また、図４に示した例では、ジョブ数の表示により秘匿化されたジョブの存在を表示しているが、単に、秘匿化されたジョブの有無を示す表示を行なうようにしてもよい。この場合も、フォルダごとに有無を表示するようにしてもよい。例えば、図５に示されるように、秘匿化されたジョブについて、ジョブの内容がわからないように、予め定められた文字で代替した表示を行なうように示してもよい。
【００４７】
次に、上述の表示に対する比較例について説明する。図６は、本実施形態に係る表示制御部４２による制御に基づく表示に対する比較例である表示画面について示す模式図である。図６（ａ）は、ＵｓｅｒＹとして識別された使用者が閲覧する場合の管理画面を示しており、図６（ｂ）は、ＵｓｅｒＡとして識別された使用者が閲覧する場合の管理画面を示している。なお、図６は、図４で説明したジョブと同じジョブが記憶されている場合の管理画面の表示であるものとする。
【００４８】
図６（ａ）に示される管理画面は、認証ジョブＪｏｂＤの所有者である使用者ＵｓｅｒＹが閲覧する際の管理画面であるため、一般ジョブの内容に加え、認証ジョブＪｏｂＤの内容も表示されている。また、ジョブ数の表示も、内容が表示されているジョブ数である４が表示されている。
【００４９】
一方、図６（ｂ）に示される管理画面は、認証ジョブＪｏｂＤの所有者である使用者ＵｓｅｒＹではない使用者ＵｓｅｒＡが閲覧する際の管理画面であるため、一般ジョブの内容については表示されているものの、ＵｓｅｒＡに対して秘匿化された認証ジョブＪｏｂＤの内容については表示されていない。さらに、ジョブ数の表示も、内容が表示されているジョブ数である３が表示されており、認証ジョブＪｏｂＤは、ジョブ数に計数されていない。この場合、表示されている情報からは、存在するジョブ数は３であると使用者には認識されるのに対し、実際に記憶されているジョブ数は４であるという不整合が生じている。なお、図６（ａ）においても、閲覧者であるＵｓｅｒＹ以外の使用者ＵｓｅｒＺの認証ジョブが記憶された場合には、使用者ＵｓｅｒＹ用の管理画面では、この使用者ＵｓｅｒＺの認証ジョブの内容及び数は表示されないため、同様の不整合が生じる。
【００５０】
このような不整合が生じると、存在が認識されないジョブが、上述のジョブの保持の設定などにより多量に記憶された場合、使用者が気づかぬうちに記憶容量が圧迫され、新たなジョブを記憶することができないという事態が起こりうる。また、フォルダが空であると認識して、管理者がフォルダを削除しようと操作しても、当該フォルダには秘匿化されたジョブが存在しておりフォルダの削除操作ができないという事態なども起こりうる。このように、メンテナンス性に影響を与える。
【００５１】
これに対し、図４を用いて説明した表示制御部４２による表示制御では、秘匿化されたジョブについても秘匿性を維持しつつ、他の使用者に存在が認識される。
【００５２】
次に、本実施形態における管理画面の表示の際の動作について説明する。
図７は、画像処理装置１０における動作の一例を示すフローチャートである。
【００５３】
ステップ１００（Ｓ１００）において、入出力装置２２を介して使用者の識別情報を取得して、使用者識別部４０が管理画面を閲覧する使用者を識別する。
【００５４】
ステップ１０２（Ｓ１０２）において、表示制御部４２は、ジョブ記憶部３２に記憶された一般ジョブ及び認証ジョブを計数する。ここで、表示制御部４２は、一般ジョブについては、秘匿化されていないジョブとして計数し、認証ジョブについては、ステップ１００での識別結果に基づいて、当該認証ジョブが秘匿化されたジョブであるか秘匿化されていないジョブであるかを判別する。
【００５５】
具体的には、ステップ１００で識別された使用者が特別管理者である場合には、全ての認証ジョブについて、ステップ１００で識別された使用者に対して秘匿化されていないジョブとして計数する。また、ステップ１００で識別された使用者が特別管理者ではない場合、認証ジョブの所有者とステップ１００で識別された使用者とが一致するときには当該認証ジョブはステップ１００で識別された使用者に対して秘匿化されていないジョブとして計数し、認証ジョブの所有者とステップ１００で識別された使用者とが一致しないときには当該認証ジョブはステップ１００で識別された使用者に対して秘匿化されたジョブとして計数する。
【００５６】
ステップ１０４（Ｓ１０４）において、表示制御部４２は、ステップ１０２で計数されたジョブが秘匿化されたジョブのみであるか否かを判定し、秘匿化されたジョブのみである場合には、ステップ１０６へ移行する。一方、秘匿化されたジョブのみではない場合には、ステップ１０８へ移行する。
【００５７】
ステップ１０６（Ｓ１０６）において、表示制御部４２は、ステップ１０２で計数された秘匿化されたジョブ数を表示する。
【００５８】
ステップ１０８（Ｓ１０８）において、表示制御部４２は、ジョブ記憶部３２が記憶しているジョブのうち秘匿化されていないジョブの内容を取得する。
【００５９】
ステップ１１０（Ｓ１１０）において、表示制御部４２は、ステップ１０８で取得した秘匿されていないジョブの内容及びステップ１０２で計数されたジョブ数を表示する。なお、ジョブ数は、例えば、図４に示したように、秘匿化されていないジョブ数又は秘匿化されていないジョブ数を含む全体のジョブ数を表示する。
【００６０】
次に、操作制御部４４による制御について説明する。
図８は、操作制御部４４による制御動作の一例を示すフローチャートである。
【００６１】
ステップ２００（Ｓ２００）において、入出力装置２２を介して使用者の識別情報を取得して、使用者識別部４０がジョブに対する操作を行う使用者を識別する。
【００６２】
ステップ２０２（Ｓ２０２）において、使用者識別部４０は、ステップ２００で識別した使用者が特別管理者であるか否かを判定し、特別管理者であればステップ２１０へ移行してジョブに対する操作を許可する。一方、特別管理者ではない場合には、ステップ２０４へ移行する。
【００６３】
ステップ２０４（Ｓ２０４）において、使用者識別部４０は、ステップ２００で識別した使用者が管理者であるか否かを判定し、管理者であればステップ２０６へ移行し、管理者ではない場合には、ステップ２１２へ移行する。
【００６４】
ステップ２０６（Ｓ２０６）において、操作制御部４４は、操作対象のジョブが、ステップ２００で識別された使用者に対して秘匿化されたジョブに対する操作であるか否かを判定する。秘匿化されたジョブである場合、ステップ２０８へ移行し、ステップ２００で識別された使用者に対して秘匿化されていない場合、ステップ２１０へ移行する。
【００６５】
ステップ２０８（Ｓ２０８）において、操作制御部４４は、ステップ２００で識別された使用者による当該操作対象のジョブへの操作を拒否するよう制御する。
【００６６】
ステップ２１０（Ｓ２１０）において、操作制御部４４は、ステップ２００で識別された使用者による当該操作対象のジョブへの操作を許可するよう制御する。
【００６７】
一方、ステップ２０４において、管理者ではない、すなわち一般使用者であると判定された場合、ステップ２１２（Ｓ２１２）において、操作制御部４４は、ステップ２００で識別された使用者が所有者となっているジョブに対する操作であるか否かを判定する。ステップ２００で識別された使用者が所有者となっているジョブに対する操作である場合、すなわち、操作対象のジョブに関連付けられている使用者による操作である場合、ステップ２１０へ移行し操作が許可され、他者が所有者となっているジョブに対する操作である場合、ステップ２０８へ移行し操作が拒否される。
【００６８】
このように、操作制御部４４は、予め定められた使用者である管理者が、秘匿化されたジョブに対して操作することを受付けず、秘匿化されていないジョブに対して操作することについては受付けるよう制御する。
【００６９】
以上、本発明の実施形態について説明したが、認証ジョブの存在の表示を一般使用者には行わないよう構成してもよい。例えば、閲覧者が一般使用者である場合、図６（ｂ）に示すように表示し、閲覧者が管理者である場合に図４に示すように表示する構成としてもよい。また、表示制御部４２は、記憶装置１８の記憶可能容量が予め定められた容量以下となった場合に、秘匿化されたジョブの存在を表示するよう構成してもよい。また、記憶されたジョブについては、予め定められた期間経過後にジョブ記憶部３２が自動で削除するよう構成してもよい。
【符号の説明】
【００７０】
２            画像処理システム
４、６、８    端末装置
１０          画像処理装置
１２          画像形成装置
１８          記憶装置
２２          入出力装置
３０          ジョブ受付部
３２          ジョブ記憶部
４０          使用者識別部
４２          表示制御部
４４          操作制御部
【図１】
2015001920.tif 000003
【図２】
2015001920.tif 000004
【図３】
2015001920.tif 000005
【図４】
2015001920.tif 000006
【図５】
2015001920.tif 000007
【図６】
2015001920.tif 000008
【図７】
2015001920.tif 000009
【図８】
2015001920.tif 000010